(57)【要約】      （修正有）【課題】無線通信手段や配線のレイアウトをし易く、かつ扉閉鎖時に無線通信手段が受ける衝撃を低減することができる冷蔵庫を提供する。【解決手段】冷蔵庫１の冷蔵室５の扉に観音開き式の２枚の扉７Ａ、扉７Ｂを備え、無線通信手段を構成するＩＴアダプタ２５を、幅寸法が小さく重量が軽い左側の扉７Ａのヒンジ部１６の近傍に配設し、ＩＴアダプタ２５に接続する接続線２３Ｂを、ヒンジ軸１７を通して扉側に配線される他の接続線２３Ａと、接続線引出し部２２を共有する。【選択図】図１１
2019163929.tif 000002
【特許請求の範囲】
【請求項１】
貯蔵室を有する筐体と、
前記貯蔵室の開口部を開閉する観音開き式の扉と、を備え、
前記観音開き式の扉のうち幅寸法が小さい方の扉側に、無線通信手段を取り付ける取付部が設けられている冷蔵庫。
【請求項２】
前記取付部は、扉よりも上方に位置して設けられている請求項１記載の冷蔵庫。
【請求項３】
前記取付部は、ヒンジカバーに設けられている請求項１または２記載の冷蔵庫。
【発明の詳細な説明】
【技術分野】
【０００１】
本発明の実施形態は冷蔵庫に関する。
【背景技術】
【０００２】
冷蔵庫において、例えば外部機器と通信可能な無線通信手段（無線アダプタ）を、筐体の天井部の上面におけるほぼ中央部に設置するようにしたものが提案されている。しかしながら、このものでは、無線通信手段に接続される接続線の配線などについては、具体的な開示がなされていない。
【先行技術文献】
【特許文献】
【０００３】
【特許文献１】特開２００６−６４３２０号公報
【発明の概要】
【発明が解決しようとする課題】
【０００４】
そこで、無線通信手段や配線のレイアウトをし易くできる冷蔵庫を提供する。
【課題を解決するための手段】
【０００５】
本実施形態の冷蔵庫は、貯蔵室を有する筐体と、貯蔵室の開口部を開閉する観音開き式の扉とを備え、観音開き式の扉のうち幅寸法が小さい方の扉側に、無線通信手段を取り付ける取付部が設けられている。
【図面の簡単な説明】
【０００６】
【図１】第１実施形態による冷蔵庫の外観を示すもので、（ａ）は平面図、（ｂ）は上部の正面図
【図２】右上部のヒンジユニット付近の斜視図
【図３】右上部のヒンジユニット付近の分解斜視図
【図４】右上部のヒンジユニット付近の通信手段用カバーを分離した状態での斜視図
【図５】右上部のヒンジユニット付近の側面図
【図６】図１（ａ）中Ｘ６−Ｘ６線に沿う縦断側面図
【図７】接続線のコネクタとコネクタカバーを示す概略的な斜視図
【図８】図３中Ｘ８−Ｘ８線に沿う縦断面図
【図９】ＩＴアダプタに関係したシステム構成の概略図
【図１０】第２実施形態を示す図６相当図
【図１１】第３実施形態を示す図１相当図
【図１２】図１１（ａ）中Ｘ１２−Ｘ１２線に沿う縦断側面図
【図１３】第４実施形態を示す図６相当図
【図１４】第５実施形態を示すもので、冷蔵庫の左上部のヒンジユニット付近を示す平面図
【図１５】第６実施形態を示すもので、冷蔵庫の右上部のヒンジユニット付近を示す平面図
【図１６】第７実施形態を示す図１５相当図
【図１７】第８実施形態を示す冷蔵庫の右上部のヒンジユニット付近を示す平面図
【図１８】第９実施形態を示す図１７相当図
【図１９】第１０実施形態を示すもので、ＩＴアダプタを取り付けていない状態での右上部のヒンジユニット付近を示す斜視図
【図２０】図１９において引出し部用カバーを外した状態での斜視図
【図２１】ＩＴアダプタを取り付けた状態での右上部のヒンジユニット付近を示す斜視図
【図２２】図２１において通信手段用カバーを外した状態での斜視図
【発明を実施するための形態】
【０００７】
以下、複数の実施形態による冷蔵庫を図面に基づいて説明する。なお、各実施形態において、実質的に同一の構成部位には同一の符号を付し、説明を省略する。
（第１実施形態）
第１実施形態について図１から図９を参照して説明する。図１に示すように、冷蔵庫１の筐体２は、前面が開口した矩形の箱状をなしていて、鋼板製の外箱３と合成樹脂製の内箱（図示せず）との間に、発泡ウレタンなどの発泡断熱材からなる断熱材４（図６参照）を充填して構成されている。この筐体２は、内部に複数の貯蔵室を有している。貯蔵室としては、最上部に冷蔵室５が設けられ、その下に野菜室６が設けられ、その野菜室６の下に、図示はしないが製氷室および冷凍室が設けられている。
【０００８】
冷蔵室５の前面開口部は、この場合観音開き式の２枚の扉７Ａ、７Ｂにより開閉される。２枚の扉７Ａ、７Ｂのうち、正面から見て左側の扉７Ａは、これの左端部がヒンジユニット８により筐体２に回動可能に支持され、右側の扉７Ｂは、これの右端部がヒンジユニット９により筐体２に回動可能に支持されている。この場合、左側の扉７Ａの左右方向の幅寸法Ｌ１は、右側の扉７Ｂの左右方向の幅寸法Ｌ２よりも小さく設定されている（Ｌ１＜Ｌ２）。左側の扉７Ａの自由端部側である右端部の後面側には、縦仕切部材１０が設けられている。この縦仕切部材１０は、扉７Ａに水平方向に回動可能に設けられている。
【０００９】
左側の扉７Ａを閉鎖した状態では、縦仕切部材１０の一部が右側へ張り出して、右側の扉７Ｂの左端部を受けるようになり、また、左側の扉７Ａを開放方向へ回動させることに伴い縦仕切部材１０は後ろ側へ回動する。また、左側の扉７Ａの前面側には、タッチパネル式の操作パネル１１が設けられている。この操作パネル１１には、静電スイッチ１２や表示用のＬＥＤ（図示せず）が設けられている。野菜室６の前面開口部は、引出し式の扉１４により開閉される。扉１４の裏側には、図示はしないが容器が設けられている。
【００１０】
次に、冷蔵室５における左右の扉７Ａおよび扉７Ｂのうち、右側の扉７Ｂにおける右上部のヒンジユニット９付近の構成について、図２から図６も参照して説明する。ヒンジユニット９におけるヒンジ部１６（図３、図６参照）は、金属、例えば鋼板製のもので、後部が筐体２の天井部における上面の右前部にねじ止めにより固定され、前部のヒンジ軸１７が、扉７Ｂの右上端部に回動可能に連結されている。ヒンジ軸１７は、下向きの円筒状をなしている。
【００１１】
筐体２の天井部において、ヒンジ部１６の後方には、接続線引出し用部材１８が設けられている。この接続線引出し用部材１８は、例えば合成樹脂製で、上面が開口した矩形状をなしていて、筐体２における外箱３の天井部に形成した開口部１９（図６参照）に上方から嵌め込まれることにより、下部が断熱材４内に挿入された形態となっている。接続線引出し用部材１８には、引出し口２０と、収容凹部２１が設けられている。引出し口２０と収容凹部２１は、接続線引出し部２２を構成している。
【００１２】
収容凹部２１の内面には、金属部材、この場合アルミ箔１５（図６参照）が設けられている。このアルミ箔１５は、断熱材４の保護用および結露防止用である。接続線引出し用部材１８の周囲壁１８ａの上端部は、筐体２（外箱３）の上面より例えば２ｍｍ以上、上方へ突出している。周囲壁１８ａは、接続線引出し部２２への水の浸入を防止する水浸入防止手段として機能する。
【００１３】
ヒンジユニット９の近傍の筐体２の壁の中には、複数本の接続線２３が配線されている。この接続線２３は、一端部が筐体２の背面部に設けられた制御装置２４（図１（ａ）参照）に接続され、他端部が引出し口２０を通して接続線引出し部２２に引き出されている。制御装置２４は、冷蔵庫１の運転全般を制御するメインの制御装置であり、マイクロコンピュータを主体に構成されている。
【００１４】
接続線引出し部２２に引き出された接続線２３のうち、一部の接続線２３Ａは、ヒンジ部１６側に配線され、前記ヒンジ軸１７に挿通されている。この接続線２３Ａとしては、例えば湿度センサ１３（図１（ｂ）参照）などの接続用である。湿度センサ１３は、例えば野菜室６の湿度を検知するように設けられる。接続線引出し部２２に引き出された接続線２３のうち、残りの接続線２３Ｂは、後述する無線通信手段としてのＩＴアダプタ２５の接続用であり、先端部にコネクタ２６が設けられている。
【００１５】
このコネクタ２６には、図７に示すコネクタカバー２７が着脱可能に装着されるようになっている。ＩＴアダプタ２５を設置しない場合には、コネクタ２６にコネクタカバー２７を装着した状態で、接続線２３Ｂおよびコネクタ２６を収容凹部２１内に収容しておく。
【００１６】
ＩＴアダプタ２５接続用の接続線２３Ｂの周囲には、当該接続線２３Ｂに乗るノイズをシールするための金属線２８がスパイラル状に覆うように設けられている。この金属線２８にアース線２８ａの一端部が接続されていて、このアース線２８ａの他端部が、金属製の前記ヒンジ部１６にねじなどで接続されている（図３参照）。
【００１７】
前記ヒンジ部１６の上面には、ヒンジカバー３０がねじ止めされる。このヒンジカバー３０は、例えば合成樹脂製で、図３に示すように、ヒンジ部１６を上方から覆うヒンジカバー部３１と、前記接続線引出し用部材１８を囲う囲い部３２と、浅底容器状の収納部３３が一体に設けられている。収納部３３は、囲い部３２の後方に設けられている。ヒンジカバー部３１は、ヒンジ部１６側に配線される接続線２３Ａも上方から覆っている。囲い部３２の高さは、接続線引出し用部材１８の周囲壁１８ａよりも高く設定されていて、この囲い部３２も、接続線引出し部２２への水の浸入を防止する水浸入防止手段として機能する。囲い部３２は、接続線引出し部２２の一部を構成している。
【００１８】
収納部３３には、無線通信手段を構成するＩＴアダプタ２５が収納されている。収納部３３は、ＩＴアダプタ２５を取り付ける取付部としても機能する。収納部３３に収納されたＩＴアダプタ２５は、前面部に前向きに突出するコネクタ３４を有し、内部に無線通信部３５（図６参照）を有している。無線通信部３５は、プリント配線基板からなる配線基板３５ａ上に設けられている。配線基板３５ａの上面には、図示はしないが、アンテナとして細長のＦ字状の配線が設けられている。配線基板３５ａおよびアンテナは、ＩＴアダプタ２５の下面、ひいては筐体２の上面と平行に位置している。
【００１９】
ＩＴアダプタ２５の上面部において、対角線上に位置する２箇所の角部には、周囲より低くなる段部３６が形成されている。収納部３３側には、それら段部３６に対応する部位に位置させて、弾性変形可能な係合爪３７が一体に設けられている。ＩＴアダプタ２５を収納部３３にあって正規の位置に収納した状態で、それら係合爪３７が対応する段部３６に係合することで、ＩＴアダプタ２５が収納部３３に取り付けられて保持される。
【００２０】
ＩＴアダプタ２５を収納部３３の正規の位置に取り付けた状態では、無線通信部３５が上向きにされるとともに、コネクタ３４が前方に向けられていて、このコネクタ３４に、前記接続線２３Ｂのコネクタ２６が前方から着脱可能に接続される。この場合、ＩＴアダプタ２５を収納部３３の正規の位置に取り付けた状態では、無線通信部３５のアンテナと筐体２の上面との間の距離Ｈ１（図６参照）は、例えば１０ｍｍとしている。
【００２１】
ここで、ＩＴアダプタ２５を収納部３３に取り付ける際に、例えば上下逆向きにして収納部３３に取り付けようとした場合、段部３６と係合爪３７を係合させることができないため、ＩＴアダプタ２５を収納部３３に取り付けることができない。したがってこの場合、段部３６と係合爪３７は、ＩＴアダプタ２５を収納部３３に取り付ける際に、前記無線通信部３５を上向きに位置させるための取付規制手段として機能する。収納部３３の周囲の側壁３３ａは、収納部３３内へ水が浸入することを防止する水浸入防止手段としても機能する。
【００２２】
ヒンジカバー３０において、ヒンジカバー部３１と囲い部３２との間には接続部３９が一体に設けられている。この接続部３９は、図８に示すように山形状をなしていて、左右方向の中央部３９ａが高く、この中央部３９ａから左右両端部に向けて下降傾斜する傾斜部３９ｂ、３９ｂが形成されている。傾斜部３９ｂの水平面からの傾斜角度αは、５度以上とすることが好ましい。
【００２３】
この構成によれば、接続部３９に対して上から水が掛かったとしても、その水は傾斜部３９ｂに沿って端部側へ素早く流すことができ、接続部３９に水が溜まることを防止できる。この山形状をなす接続部３９も、接続線引出し部２２に対する水の浸入を防止する水浸入防止手段として機能する。図８に示すように、ヒンジカバー部３１の後面部には、接続部３９の左右両側に位置させて係合孔４０が形成されている。
【００２４】
ヒンジカバー３０の上面において、ヒンジカバー部３１の後方に位置させて通信手段用カバー４１が着脱可能に装着されている。この通信手段用カバー４１は、合成樹脂製で、囲い部３２および接続線引出し部２２を上方から覆う引出し部用カバー部４２と、ＩＴアダプタ２５を上方から覆うアダプタカバー部４３とを一体に有している。
【００２５】
アダプタカバー部４３は、ＩＴアダプタ２５に対応する部分が一段高くなっている。アダプタカバー部４３の上面には、この場合「無線」と文字で表示された表示部４４が設けられている。この表示部４４は、内部にＩＴアダプタ２５（無線通信手段）が収納されていることを表示するためのもので、文字に限られず、例えばイラストなどでもよい。
【００２６】
通信手段用カバー４１の前部の左右両側には、前記係合孔４０に係合する係合爪４５が設けられている。この係合爪４５は、弾性変形可能であり、係合孔４０に対して後方から挿入することで抜け止め状態に係合する。通信手段用カバー４１における引出し部用カバー部４２の左右両側壁の内面には、内方へ突出する凸部４６が設けられている。
【００２７】
前記囲い部３２の左右両側壁の外面には、側方へ突出する凸部４７（図３、図４に一方のみ示す）が設けられている。凸部４６と凸部４７は、対応する位置で、かつ上下に少しずれて設けられている。通信手段用カバー４１におけるアダプタカバー部４３の後壁部の下端部には、前方へ突出する凸部４８が例えば２個設けられている。収納部３３の後部には、図６に示すように、後面側が開口した凹部４９が形成されている。
【００２８】
ここで、通信手段用カバー４１をヒンジカバー３０の上面に装着する際には、通信手段用カバー４１を、囲い部３２および収納部３３の上面のやや後に位置させた状態から前方へスライドさせる。このとき、通信手段用カバー４１の凸部４６を囲い部３２の凸部４７の下方に入り込ませるとともに、通信手段用カバー４１の凸部４８を収納部３３の後部の凹部４９に後方から入り込ませる。そして、通信手段用カバー４１の前部における左右両側の係合爪４５を、ヒンジカバー部３１の係合孔４０に係合させる。これにより、ヒンジカバー３０に対して通信手段用カバー４１は、上方へ浮き上がることが防止された状態でヒンジカバー３０に取り付けられる。
【００２９】
この場合、ヒンジカバー３０側の係合孔４０、凸部４７、凹部４９と、通信手段用カバー４１側の係合爪４５、凸部４６、凸部４８は、ヒンジカバー３０に対して通信手段用カバー４１の浮き上がりを防止する浮き防止手段を構成している。このようにして通信手段用カバー４１をヒンジカバー３０の上面に装着した状態では、通信手段用カバー４１の前部が、前記接続部３９を上方から覆うように位置している（図６参照）。
【００３０】
ヒンジ部１６を覆うヒンジカバー部３１、接続線引出し部２２、および収納部３３に収納されたＩＴアダプタ２５を覆う通信手段用カバー４１は、前部のヒンジ部１６側から後部のＩＴアダプタ２５側に向かって幅方向（横方向）に徐々に拡大する形態をなしている。収納部３３に収納されたＩＴアダプタ２５の無線通信部３５は、筐体２の上面（外箱３の上面）よりも高く、またヒンジ部１６よりも高い位置に位置している。接続線引出し部２２における収容凹部２１の内面に設けられたアルミ箔１５は、ＩＴアダプタ２５の無線通信部３５より下側に位置している。
【００３１】
通信手段用カバー４１の左右両側の外側面の前部には、係合爪４５の近傍に位置させて着脱操作用の滑り止め部５１が設けられている。この滑り止め部５１は、この場合、上下方向に延びる２本のビード部により構成されている。２本のビード部の下端部は、通信手段用カバー４１の左右両側壁の下端部まで延びている。
【００３２】
通信手段用カバー４１をヒンジカバー３０の上面に取り付ける際には、作業者は手の指をそれら左右の滑り止め部５１に宛がいながら通信手段用カバー４１を持ち、この通信手段用カバー４１をヒンジカバー３０に対して前方へスライドさせることで、左右の係合爪４５を係合孔４０に係合させることができる。
【００３３】
また、通信手段用カバー４１をヒンジカバー３０から外す場合には、作業者は手の指を左右の滑り止め部５１に宛がった状態で、それら滑り止め部５１を内方へ押圧して係合爪４５を内方へ弾性変形させながら、通信手段用カバー４１を後方へスライドさせることで、係合爪４５と係合孔４０の係合を解除させることができる。このように、滑り止め部５１が設けられていることで、通信手段用カバー４１をヒンジカバー３０に対して着脱操作する際の操作がし易くなる。
【００３４】
なお、冷蔵室５の左側の扉７Ａを支持する左上部のヒンジユニット８には、詳細には示されてはいないが、前記ヒンジ部１６と同様なヒンジ部１６と、接続線引出し部２２と、ヒンジカバー５２を備えている。このヒンジカバー５２は、ヒンジ部１６を覆うヒンジカバー部５３と、接続線引出し部２２を覆う引出し部用カバー部５４を一体に有している。
【００３５】
このヒンジユニット８側には、ＩＴアダプタ２５は設けられていない。制御装置２４からヒンジユニット８側に導出された接続線２３は、筐体２の壁内を通されて接続線引出し部２２において引き出され、ヒンジ軸１７から扉７Ａ側に配線されている。その接続線２３としては、この場合、図１（ｂ）に示すように、操作パネル１１用の接続線２３Ｃと、ヒータ接続線２３Ｄが含まれている。操作パネル１１用の接続線２３Ｃには、静電スイッチ１２やＬＥＤ制御用が含まれる。また、ヒータ接続線２３Ｄは、縦仕切部材１０に設けられた結露防止用のヒータ（図示せず）に接続するものである。このヒータ接続線２３Ｄは、１００Ｖ用であり、他の接続線よりも太くなっている。
【００３６】
図９には、ＩＴアダプタ２５に関係したシステム構成の概略図が示されている。冷蔵庫１に設置されたＩＴアダプタ２５は、接続線２３Ｂにより冷蔵庫１の制御装置２４に接続されている。また、冷蔵庫１の操作パネル１１は、接続線２３Ｃにより制御装置２４に接続されている。ＩＴアダプタ２５は、無線通信部３５を介して、外部機器、この場合、家庭内に設置されたルータ５６と無線通信が可能である。ルータ５６は、インターネット５７を介して情報サーバ５８に接続されている。情報サーバ５８には、インターネット５７を介して、使用者が携帯する携帯端末機５９からアクセス可能となっている。無線通信部３５による無線通信の電波の波長λは、この場合１２０ｍｍである。
【００３７】
上記した実施形態によれば次のような作用効果を得ることができる。
従来から冷蔵庫においては、扉のヒンジ部の近傍に、冷蔵庫の制御装置に接続される接続線が引き出され、ここからヒンジ軸を通して扉側に配線することが行われている。そこで、本実施形態においては、無線通信手段を構成するＩＴアダプタ２５を、冷蔵庫１における扉７Ｂのヒンジ部１６の近傍に配設している。このため、ＩＴアダプタ２５に接続する接続線２３Ｂを、ヒンジ軸１７を通して扉側に配線される他の接続線２３Ａと、接続線引出し部２２を共用化できる。これにより、ＩＴアダプタ２５および接続線２３Ｂのレイアウトが行い易くできる。また、ＩＴアダプタ２５に接続する接続線２３Ｂを、扉７Ｂ側に配線される他の接続線２３Ａと同様に、筐体２の壁（断熱材）４内を通すことが容易になり、接続線２３Ｂを筐体２の上面上に露出させないように配線することが可能となる。
【００３８】
ＩＴアダプタ２５を、扉７Ｂのヒンジ部１６の近傍に配設したので、扉７Ｂの閉鎖時の衝撃を受け難くできる。仮に、ＩＴアダプタ２５を、扉７Ｂにおいてヒンジ部１６とは反対側の自由端部側（筐体２の上面において、正面から見て左右方向の中央部付近）に配設した場合、ＩＴアダプタ２５は、扉７Ａおよび扉７Ｂの閉鎖時の衝撃を受け易くなるという不具合があるが、本実施形態によればそのような不具合の発生を防止できる。特に、コネクタ着脱式のＩＴアダプタ２５を利用する場合には、コネクタ２６，３４が外れるおそれが少ない。
【００３９】
なお、上記した実施形態においては、冷蔵室５の扉は観音開き式の２枚の扉７Ａ，７Ｂで、このうちの右側の扉７Ｂのヒンジ部１６の近傍にＩＴアダプタ２５を設けた場合で説明したが、扉が一枚の場合でも、ＩＴアダプタ２５をヒンジ部の近傍に設けることで、上記と同様な作用効果が得られる。
【００４０】
ヒンジ部１６を覆うヒンジカバー３０に、ＩＴアダプタ２５を取り付ける収納部３３を設けているので、ＩＴアダプタ２５をヒンジ部１６の近傍に容易に配設することができる。また、ヒンジカバー３０の囲い部３２に接続線２３Ａ，２３Ｂを引き出していて、そのうちの接続線２３ＢとＩＴアダプタ２５を、それらのコネクタ２６とコネクタ３４を介して接続する構成としたことにより、接続線２３ＢとＩＴアダプタ２５を容易に接続することができる。なおこの場合、ＩＴアダプタ２５は、筐体２の上面に直接取り付けるようにしてもよい。
【００４１】
ヒンジ部１６を覆うヒンジカバー３０と、このヒンジカバー３０に設けられＩＴアダプタ２５を収納する収納部３３と、この収納部３３に収納したＩＴアダプタ２５を覆う通信手段用カバー４１を備えたことにより、ヒンジ部１６およびＩＴアダプタ２５が露出せず、見栄えを良くすることができるとともに、使用者がそれらに不用意に触ることを防止できる。通信手段用カバー４１は、接続線２３を引き出す接続線引出し部２２も覆う構成としているので、接続線２３が露出することも防止できる。
【００４２】
なお、ヒンジカバー３０に収納部３３を設けず、ＩＴアダプタ２５を、筐体２の上面に両面接着テープ等により直接取り付けるようにした場合には、ヒンジカバーにより、接続線引出し部２２およびＩＴアダプタ２５も一緒に覆う構成とすることもできる。
【００４３】
ＩＴアダプタ２５は、ヒンジ部１６の後方に位置させた。これにより、ＩＴアダプタ２５があることが、前方からは見難く、目立ち難くできる。なお、ＩＴアダプタ２５を、筐体２の上面においてヒンジ部１６の左横に位置させた場合には、ＩＴアダプタ２５がヒンジカバー３０で隠れ難くなり、目立ち易くなる。
【００４４】
接続線引出し部２２は、ヒンジ部１６とＩＴアダプタ２５との間に位置させている。接続線引出し部２２は、筐体２の上面に開口部１９を形成して設けることになるので、ヒンジ部１６の後方で、筐体２の上面の端部に設けることが好ましい。
【００４５】
ヒンジユニット９側の接続線２３には、ＩＴアダプタ２５に接続する接続線２３Ｂと扉７Ｂ側に導出される接続線２３Ａとがあり、これら接続線２３Ａ、２３Ｂは、ヒンジ部１６とＩＴアダプタ２５との間の接続線引出し部２２においてＩＴアダプタ２５側とヒンジ部１６側とに前後に分かれる構成とした。これにより、接続線引出し部２２に引き出された接続線２３Ａ，２３Ｂを前後に良好に配線することができる。
【００４６】
ＩＴアダプタ２５が有する無線通信部３５は、筐体２の上面より上方に位置しているので、無線通信部３５による無線通信が筐体２により邪魔されることを防止できる。また、接続線引出し部２２の収容凹部２１には、金属部材であるアルミ箔１５を設けているが、このアルミ箔１５は、前記無線通信部３５より下側で、かつ無線通信部３５を覆わないように位置しているので、無線通信部３５による無線通信が金属製のアルミ箔１５により邪魔されることを防止できる。
【００４７】
ＩＴアダプタ２５における無線通信部３５は、ヒンジ部１６よりも高い位置にあるので、やはり無線通信部３５による無線通信が、金属製のヒンジ部１６により邪魔されることを防止できる。ＩＴアダプタ２５を覆う通信手段用カバー４１のアダプタカバー部４３は、ヒンジ部１６より上方に突出しているので、ＩＴアダプタ２５の無線通信部３５を、ヒンジ部１６よりも高い位置にすることを一層容易にできる。
【００４８】
ＩＴアダプタ２５を覆う通信手段用カバー４１のアダプタカバー部４３の上面には、ＩＴアダプタ２５が収納されていることを表示する表示部４４を設けているので、その表示部４４を見ることで、作業者も、また、使用者もわかりやすい。
ＩＴアダプタ２５が有するコネクタ３４は、筐体２の上面より上方に位置している。このため、仮に筐体２の上面に水が流れることがあったとしても、その水がコネクタ３４に接触することを防止できる。
【００４９】
ＩＴアダプタ２５を収納部３３に取り付ける場合に、ＩＴアダプタ２５が有する無線通信部３５を上向きに位置させるための取付規制手段として、段部３６と係合爪３７を設けているので、ＩＴアダプタ２５は、無線通信部３５を確実に上向きにした状態で取り付けることができる。これにより、無線通信部３５が下向きにした状態で取り付けられる場合に比べて、無線通信部３５による通信を良好に行うことが可能になる。
【００５０】
ＩＴアダプタ２５接続用の接続線２３Ｂのコネクタ２６には、着脱可能なコネクタカバー２７が備えられている。冷蔵庫１にＩＴアダプタ２５を設置しない場合には、接続線２３Ｂのコネクタ２６は収容凹部２１内に収容しておくことになるが、この場合、コネクタ２６にコネクタカバー２７を装着しておくことで、コネクタ２６の端子が露出することを防止できる。これにより、コネクタ２６の端子が、金属製のアルミ箔１５やヒンジ部１６に接触することを確実に防止することができる。
【００５１】
ＩＴアダプタ２５接続用の接続線２３Ｂにノイズ防止用の金属線２８を設けるとともに、この金属線２８に接続したアース線２８ａを、金属製のヒンジ部１６に接続する構成とした。これにより、接続線２３Ｂにノイズが乗ることを防止できる。また、このような構成は、ＩＴアダプタ２５をヒンジ部１６の近傍に配置する構成としたことで、容易に達成することができる。また、金属線は接続線２３Ｂの被覆線内に配置されていても良く、その場合、コネクタ２６にアース線２８ａを接続すると良い。
【００５２】
接続線引出し部２２に対する水浸入防止手段を備えている。この場合の水浸入防止手段としては、接続線引出し用部材１８において接続線引出し部２２を囲む周囲壁１８ａと、この周囲壁１８ａを囲む囲い部３２と、山形状をなす接続部３９がある。これらにより、接続線引出し部２２に対する水の浸入を防止できる。ＩＴアダプタ２５を収納する収納部３３は、容器状をなしているから、その周囲の側壁３３ａがＩＴアダプタ２５に対する水浸入防止手段としても機能する。
【００５３】
冷蔵室５の扉は観音開き式の２枚の扉７Ａ、扉７Ｂであり、これら二枚の扉７Ａ、扉７Ｂのうち、左側の扉７Ａのヒンジユニット８には、ヒータ接続線２３Ｄが通されていて、ＩＴアダプタ２５は、ヒータ接続線２３Ｄが通されていない右側の扉７Ｂのヒンジユニット９の近傍に設けている。これによれば、ＩＴアダプタ２５が、ヒータ接続線２３Ｄからノイズなどの影響を受け難くできる利点がある。
【００５４】
また、冷蔵室５の二枚の扉７Ａ、扉７Ｂのうち、左側の扉７Ａには静電スイッチ１２を備えた操作パネル１１が設けられ、ＩＴアダプタ２５は、静電スイッチ１２が設けられていない右側の扉７Ｂのヒンジユニット９の近傍に設けている。これによれば、ＩＴアダプタ２５による通信が静電スイッチ１２に悪影響を及ぼすことを極力防止できる。
【００５５】
ヒンジカバー３０と通信手段用カバー４１との間には、ヒンジカバー３０に対して通信手段用カバー４１の浮き上がりを防止する浮き防止手段を設けている。この場合、浮き防止手段としては、ヒンジカバー３０側の係合孔４０、凸部４７、凹部４９と、通信手段用カバー４１側の係合爪４５、凸部４６、凸部４８である。通信手段用カバー４１は前後方向に長い形状であり、装着時に浮きが発生しやすいが、通信手段用カバー４１の前後の３箇所に浮き防止手段を設けることにより、通信手段用カバー４１が浮き上がることを良好に防止することができる。
【００５６】
通信手段用カバー４１はその外側面に着脱操作用の滑り止め部５１を有していて、その滑り止め部５１は、上下方向に延びる２本のビードにより形成されていて、通信手段用カバー４１の外側面の下端部まで延びている。これによれば、通信手段用カバー４１を型成形で成形する際に、上型と下型の合わせ面を、滑り止め部５１の下端部、すなわち通信手段用カバー４１の左右側壁の下端部に設定することで、通信手段用カバー４１の左右側壁の外面の中間部に型の合わせ面となる、いわゆるパーティングラインが残らないようにできる利点がある。
【００５７】
ヒンジ部１６を覆うヒンジカバー３０と、接続線引出し部２２およびＩＴアダプタ２５を覆う通信手段用カバー４１を備え、これら両カバーは、ヒンジ部１６側からＩＴアダプタ２５側に向かって、幅方向に徐々に拡大する形態となっている。これによれば、ヒンジカバー３０および通信手段用カバー４１に、極端な段部が形成されないようにできて、見栄えをよくできる利点がある。なお、カバーとしては、ヒンジ部１６からＩＴアダプタ２５までを一括して覆う一つのカバーとしてもよい。また、カバーにおいて、ヒンジ部１６側からＩＴアダプタ２５側に向かって拡大する方向は、幅方向（横方向）に限られず、高さ方向とすることもできる。
【００５８】
ＩＴアダプタ２５は、これの無線通信部３５（アンテナ）と筐体２の上面となる金属製の外箱３の上面との間の距離Ｈ１が１０ｍｍとなる位置に配置している。無線通信部３５と金属（外箱３）との間の距離が、無線通信部３５が扱う無線電波（２．５ＧＨｚ帯）の波長λ（約１２０ｍｍ）の１／２の倍数の距離、すなわち６０ｍｍ、１２０ｍｍ、１８０ｍｍなどに設定されていると、無線電波の入射波と反射波が打ち消しあってしまい、電波が届かなくなってしまうおそれがある。
【００５９】
この点、本実施形態においては、無線通信部３５と筐体２の上面との間の距離Ｈ１を１０ｍｍに設定しているので、上記の数値には該当せず、無線電波が届かなくなることを防止できる。また、特に本実施形態においては、上記距離Ｈ１を、波長λの１／２未満となる１０ｍｍに設定しているので、ＩＴアダプタ２５が上方へ大きく突出することを防止でき、意匠上も好ましくできる。
【００６０】
なお、上記距離Ｈ１を、波長λの１／４となる３０ｍｍに設定すると、電波の入射波と反射波の位相がそろって電波が倍増する可能性が高くなり、通信性能が一層高くなることが期待できる。また、他の無線電波を利用した場合も同様である。例えば、２．４ＧＨｚ（波長：１２５ｍｍ）帯、５ＧＨz（波長：６０ｍｍ）帯なども同様である。
【００６１】
（第２実施形態）
第２実施形態について図１０を参照して説明する。この第２実施形態では、ＩＴアダプタ２５を収納部３３に取り付ける構造において、ＩＴアダプタ２５が有する無線通信部３５を上向きに位置させるための取付規制手段を構成する前記係合爪３７がない場合である。このような場合においては、ＩＴアダプタ２５が、図１０に示すように、これの無線通信部３５が下向きとなる状態で収納部３３に取り付けられてしまうことがある。
【００６２】
仮に、このようにＩＴアダプタ２５が上下逆向きに取り付けられたとしても、前面部のコネクタ３４は、筐体２の上面よりも上に位置するようになっている。このため、筐体２の上面に水が流れることがあったとしても、その水がコネクタ３４に接触することを防止できる。この点については、収納部３３がなく、ＩＴアダプタ２５を筐体２の上面に直接取り付ける場合でも同様である。
【００６３】
（第３実施形態）
第３実施形態について図１１および図１２を参照して説明する。この第３実施形態では、無線通信手段を構成するＩＴアダプタ２５を、右上部のヒンジユニット９側には設けておらず、代わりに左上部のヒンジユニット８付近に設けている。左上部のヒンジユニット８は、左右２枚の扉７Ａおよび扉７Ｂのうち、幅寸法が小さいほうの左側の扉７Ａを支持する。
【００６４】
ヒンジカバー３０には、第１実施形態のヒンジカバー３０と同様に、ヒンジカバー部３１と、接続線引出し部２２を囲う囲い部３２と、ＩＴアダプタ２５を収納する収納部３３が一体に設けられている。接続線引出し部２２には、一端部が制御装置２４に接続された接続線２３が引き出されている。接続線２３には、この場合、ＩＴアダプタ２５接続用の接続線２３Ｂ、操作パネル１１用の接続線２３Ｃ、ヒータ接続線２３Ｄが含まれている。
【００６５】
接続線引出し部２２において、ＩＴアダプタ２５接続用の接続線２３ＢはＩＴアダプタ２５側に向けられて、先端部のコネクタ２６が、ＩＴアダプタ２５のコネクタ３４に接続されている。他の接続線２３（操作パネル１１用の接続線２３Ｃ、ヒータ接続線２３Ｄ）は、ヒンジ部１６側に向けられて、ヒンジ軸１７に挿入されている。
【００６６】
このとき、収容凹部２１において、当該収容凹部２１の内面に設けられたアルミ箔１５は、ヒータ接続線２３Ｄと断熱材４との間に位置する。なお、右側のヒンジユニット９のヒンジ部１６および接続線引出し部２２は、第１実施形態の左側のヒンジユニット８と同様に、ヒンジカバー５２により覆われる。
【００６７】
上記した実施形態によれば、特に次のような利点がある。
ＩＴアダプタ２５は、観音開き式の２枚の扉７Ａ，７Ｂのうち幅寸法が小さい左側の扉７Ａのヒンジユニット８の近傍に設ける構成とした。この構成によれば、幅寸法が小さい左側の扉７Ａは、右側の扉７Ｂよりも重量が軽くなるので、扉７Ａの閉鎖時にＩＴアダプタ２５が受ける衝撃を一層低減することができる。
【００６８】
接続線引出し部２２において、ここに引き出された接続線２３には、１００Ｖ通電用のヒータ接続線２３Ｄが含まれており、収容凹部２１の内面には、発泡断熱材からなる断熱材４の延焼防止のためのアルミ箔１５が設けられている。この場合も、アルミ箔１５は筐体２の上面よりも下方に設けているので、金属製のアルミ箔１５が無線通信部３５の無線通信に悪影響を及ぼすことを防止できる。
【００６９】
（第４実施形態）
第４実施形態について図１３を参照して説明する。この第４実施形態は、前述した第１実施形態とは次の点が異なっている。すなわち、接続線引出し用部材１８の後部に、容器状の収納部６１を一体に設けていて、この収納部６１も、外箱３の開口部１９に上方から嵌め込んでいる。したがって、収納部６１の底面は、外箱３の上面より下方に位置している。そして、その収納部６１にＩＴアダプタ２５を収納配置し、このＩＴアダプタ２５のコネクタ３４と接続線２３Ｂのコネクタ２６を接続している。
（第５実施形態）
【００７０】
第５実施形態について図１４を参照して説明する。図１４には、ＩＴアダプタ２５を、左側の扉７Ａのヒンジ部１６の近傍に設けた例が簡略化して示されている。筐体２の上面において、接続線２３を引き出す接続線引出し部６２は、ヒンジ部１６の後方で、かつ前方から見てヒンジ部１６より内側（この場合、右側）に位置するように右斜めに配置されている。ＩＴアダプタ２５は、接続線引出し部６２の後方延長線上に位置するように配置されている。換言すれば、ＩＴアダプタ２５は、ヒンジ部１６から右斜め後方に配置されている。
【００７１】
接続線引出し部６２に引き出された接続線２３のうち、扉７Ａ側の接続線２３はヒンジ部１６側に導出されてヒンジ軸１７に挿入され、ＩＴアダプタ２５用の接続線２３Ｂは、ＩＴアダプタ２５側に向けられ、コネクタ２６，３４を介してＩＴアダプタ２５に接続されている。そして、ヒンジ部１６、接続線引出し部２２、およびＩＴアダプタ２５は、これらを一括して覆うカバー６３により覆われている。なお、カバー６３としては、二つに分けてもよい。
（第６実施形態）
【００７２】
第６実施形態について図１５を参照して説明する。図１５では、ＩＴアダプタ２５を、右側の扉７Ｂのヒンジ部１６の近傍に設けた例が簡略化して示されている。筐体２の上面において、接続線引出し部６２は、ヒンジ部１６の左横に設けられている。ＩＴアダプタ２５は、接続線引出し部６２の左横に位置させて、扉７Ｂに並行するように横向き配置されている。コネクタ３４は右に向けられている。接続線引出し部６２に引き出された接続線２３のうち、扉７Ａ側の接続線２３はヒンジ部１６側に導出されてヒンジ軸１７に挿入され、ＩＴアダプタ２５用の接続線２３Ｂは、ＩＴアダプタ２５側に向けられ、コネクタ２６，３４を介してＩＴアダプタ２５に接続されている。
【００７３】
そして、ヒンジ部１６、接続線引出し部６２、およびＩＴアダプタ２５は、これらを一括して覆うカバー６４により覆われている。このカバー６４は、ヒンジ部１６、接続線引出し部２２、およびＩＴアダプタ２５の配置に沿うように、上から見てＬ字状をなしている。筐体２の天井部の後部には、冷凍サイクルのコンプレッサ６５が配置されている。
【００７４】
この場合、接続線引出し部６２およびＩＴアダプタ２５は、筐体２の天井部の凹部にそれぞれ配置されているが、これら接続線引出し部６２およびＩＴアダプタ２５を、一体の凹部の中に配置しても良い。
【００７５】
（第７実施形態）
第７実施形態について図１６を参照して説明する。この第７実施形態は、上記した第６実施形態とは次の点が異なっている。すなわち、筐体２の上面において、ＩＴアダプタ２５を、ヒンジ部１６および接続線引出し部６２の後方に位置させて、前方から見てそれらヒンジ部１６および接続線引出し部６２にラップするように配置している。ＩＴアダプタ２５は、コネクタ３４を左に向けた横向きで、扉７Ｂに並行するように配置されている。そして、ヒンジ部１６、接続線引出し部６２、およびＩＴアダプタ２５は、これらを一括して覆うカバー６６により覆われている。このカバー６６は、ヒンジ部１６、接続線引出し部６２、およびＩＴアダプタ２５の配置に沿うように、上から見てＬ字状をなしている。
【００７６】
（第８実施形態）
第８実施形態について図１７を参照して説明する。この第８実施形態は、次の点を特徴としている。筐体２の上面において、右側の扉７Ｂのヒンジ部１６の後方に、接続線引出し部６２を形成する部材として取付部材６８が設けられている。この取付部材６８は、例えば合成樹脂製で、接続線引出し部６２と収納部６９を有している。収納部６９は接続線引出し部６２の後方に位置していて、この収納部６９に、配線基板７０とＩＴアダプタ２５が収納されている。この場合、ＩＴアダプタ２５は、配線基板７０の後方に位置させて、コネクタ３４を前に向けた状態で配置されている。
【００７７】
ヒンジ部１６と、接続線引出し部６２と、配線基板７０と、ＩＴアダプタ２５が、前後方向に直線状に配置されている。そして、ヒンジ部１６、接続線引出し部６２、配線基板７０、およびＩＴアダプタ２５は、これらを一括して覆うカバー７１により覆われている。このカバー７１は、ヒンジ部１６、接続線引出し部６２、配線基板７０、ＩＴアダプタ２５の配置に沿うように、上から見て直線状をなしている。配線基板７０には温度センサや湿度センサを設けており、これらの検出値に基づいて庫内の制御をしている。また、これらの検出値により、ＩＴアダプタ２５の動作するための周囲環境を報知するようにしても良い。
【００７８】
（第９実施形態）
第９実施形態について図１８はを参照して説明する。この第９実施形態は、上記した第８実施形態とは次の点が異なっている。すなわち、接続線引出し部６２を形成する取付部材７２は、接続線引出し部６２の周りに収納部７３を有している。この収納部７３において、配線基板７０は接続線引出し部６２の後方に配置され、ＩＴアダプタ２５は、接続線引出し部６２と配線基板７０の左横に配置されている。
【００７９】
したがって、ＩＴアダプタ２５は、前方から見て配線基板７０より内側に配置されている。そして、ヒンジ部１６、接続線引出し部６２、配線基板７０、およびＩＴアダプタ２５は、これらを一括して覆うカバー７４により覆われている。このカバー７４は、ヒンジ部１６、接続線引出し部６２、配線基板７０、ＩＴアダプタ２５の配置に沿うように、上から見てＬ字状をなしている。
【００８０】
（第１０実施形態）
第１０実施形態について図１９から図２２を参照して説明する。図１９から図２２のうち、図１９および図２０は、右上部のヒンジユニット９の近傍にＩＴアダプタ２５を設置していない場合を示し、図２１および図２２は、ＩＴアダプタ２５を設置した場合を示している。なお、図１９から図２２において、２枚の扉７Ａ，７Ｂは省略されている。
【００８１】
まず、図１９および図２０において、ヒンジカバー３０には、ヒンジ部１６（図３参照）を覆うヒンジカバー部３１の後方に、接続部３９を介して囲い部３２は一体に設けられているが、収納部３３は設けられていない。囲い部３２内の接続線引出し部２２には、接続線２３が引き出されている。接続線２３のうち、図示されていない扉７Ｂ側の接続線２３Ａはヒンジカバー部３１側に導出されている。
【００８２】
そして、ＩＴアダプタ２５用の接続線２３Ｂは、収容凹部２１に出し入れ可能に収容されている。囲い部３２の後面の２箇所に孔部７５が形成されている。ヒンジカバー部３１の後面には、接続部３９の左右両側に位置させて、第１実施形態と同様に係合孔４０が形成されている。また、囲い部３２の左右両側面には凸部４７が形成されている。
【００８３】
接続線引出し部２２には、引出し部用カバー７６が着脱可能に装着される。この引出し部用カバー７６は、接続線引出し部２２を覆う第１のカバーである。引出し部用カバー７６には、前部に前記係合孔４０に係合する係合爪４５が設けられ、左右側壁の内面に、前記凸部４７に対応する凸部４６が設けられ、後部に前記孔部７５に対応する前向きの凸部７７が設けられている。また、引出し部用カバー７６の左右両外側面の前部には、滑り止め部５１も設けられている。
【００８４】
引出し部用カバー７６をヒンジカバー３０の上面に取り付ける際には、作業者は手の指を左右の滑り止め部５１に宛がいながら引出し部用カバー７６を持ち、この引出し部用カバー７６をヒンジカバー３０に対して前方へスライドさせることで、左右の係合爪４５を係合孔４０に係合させるとともに、後部の各凸部７７を対応する孔部７５に挿入する。このとき、引出し部用カバー７６の左右の凸部４６が、囲い部３２の凸部４７の下方に入り込む。これにより、引出し部用カバー７６をヒンジカバー３０の上面に、浮き上がりを防止した状態で取り付けることができる。
【００８５】
また、引出し部用カバー７６をヒンジカバー３０から外す場合には、第１実施形態の前記通信手段用カバー４１の場合と同様に、作業者は手の指を左右の滑り止め部５１に宛がった状態で、それら滑り止め部５１を内方へ押圧して係合爪４５を内方へ弾性変形させながら、引出し部用カバー７６を後方へスライドさせることで、係合爪４５と係合孔４０との係合を解除させることができる。これにより、引出し部用カバー７６をヒンジカバー３０から外すことができる。
【００８６】
上記構成のヒンジユニット９に対してＩＴアダプタ２５を設置する場合には、図２２に示すように、ＩＴアダプタ２５と、このＩＴアダプタ２５を収納するアダプタ固定具７８と、第１実施形態と同様な構成の通信手段用カバー８０を用意する。アダプタ固定具７８は、例えば合成樹脂製で、矩形容器状をなしていて、内部に収納部８１を有している。ＩＴアダプタ２５を、その収納部８１に収納固定する。
【００８７】
ＩＴアダプタ２５を固定したアダプタ固定具７８は、ヒンジカバー３０を基準にして、囲い部３２の後方に位置させた状態で、筐体２（外箱３）の上面に例えば両面テープで固定状態に取り付ける。アダプタ固定具７８の後部には、後面が開口した凹部４９が形成されている。
【００８８】
通信手段用カバー８０は、第１実施形態の通信手段用カバー４１とは上面の形態が若干異なっているが、構成はほぼ同様である。通信手段用カバー８０は、接続線引出し部２２（囲い部３２）およびＩＴアダプタ２５を同時に覆う第２のカバーを構成する。この通信手段用カバー８０は、左右両側壁の前部に係合爪４５を有し、左右両側面の前部に滑り止め部５１を有し、左右両側壁の内面に凸部４６を有し、後部に前向きの凸部４８を有している。
【００８９】
通信手段用カバー８０の上面には、ヒンジ部１６側からＩＴアダプタ２５側に向けて徐々に高くなるように傾斜する傾斜部８０ａを有していて、ＩＴアダプタ２５側に向けて徐々に拡大する形態となっている。また、通信手段用カバー８０の上面には、ＩＴアダプタ２５の上方に位置させて、「無線」の表示部４４が設けられている。
【００９０】
この通信手段用カバー８０は、ヒンジカバー３０に対して次のようにして取り付けられる。通信手段用カバー８０を、囲い部３２およびＩＴアダプタ２５の上面のやや後に位置させた状態から前方へスライドさせる。このとき、通信手段用カバー８０の凸部４６を囲い部３２の凸部４７の下方に入り込ませるとともに、通信手段用カバー８０の凸部４８をアダプタ固定具７８の後部の凹部４９に後方から入り込ませる。
【００９１】
そして、通信手段用カバー８０の前部における左右両側の係合爪４５を、ヒンジカバー部３１の係合孔４０に係合させる。これにより、ヒンジカバー３０に対して通信手段用カバー８０は、上方へ浮き上がることが防止された状態でヒンジカバー３０に取り付けられる。
【００９２】
この場合、ヒンジカバー３０の係合孔４０は、接続線引出し部２２を覆う引出し部用カバー７６（第１のカバー）と、接続線引出し部２２とＩＴアダプタ２５を同時に覆う通信手段用カバー８０（第２のカバー）の双方の取り付けが可能なカバー取付部を構成している。なお、本実施形態においては、接続線２３Ｂに、ノイズ防止用の金属線２８およびアース線２８ａが設けられていないが、設けておくことが好ましい。
【００９３】
（その他の実施形態）
上記した実施形態では、冷蔵室５の扉として観音開き式の２枚の扉７Ａ、７Ｂを備えたものを例示したが、一枚の扉の場合にも適用することができる。この場合にも、ＩＴアダプタ２５は、その扉を支持するヒンジ部の近傍に設ける。
【００９４】
以上説明したように本実施形態の冷蔵庫によれば、無線通信手段を、ヒンジ部周辺に引き出された接続線に接続する構成とことにより、無線通信手段や配線のレイアウトをし易くできる。
【００９５】
また、上記した実施形態には、以下の複数の発明が記載されている。
前記無線通信手段は、前記ヒンジ部の近傍に配設されていることを特徴とする冷蔵庫。
【００９６】
前記扉は左右二つの観音開き式の扉であり、これら左右二つの扉のうち一方の扉は、他方の扉に比べて左右方向の幅寸法が小さく形成され、前記無線通信手段は、前記左右二つの扉のうち前記幅寸法が小さい側の扉のヒンジ部の近傍に配置されていることを特徴とする冷蔵庫。
【００９７】
前記ヒンジ部を覆うヒンジカバーを備え、前記ヒンジカバーには、前記無線通信手段を取り付ける取付部が設けられていることを特徴とする冷蔵庫。
【００９８】
前記ヒンジ部を覆うヒンジカバーを備え、前記ヒンジカバーには前記接続線が引き出されていて、この接続線と前記無線通信手段はコネクタを介して接続可能であることを特徴とする冷蔵庫。
【００９９】
前記ヒンジ部を覆うヒンジカバーと、このヒンジカバーに設けられ前記無線通信手段を収納する収納部と、この収納部に収納された前記無線通信手段を覆う通信手段用カバーと、を備えていることを特徴とする冷蔵庫。
【０１００】
前記通信手段用カバーは、前記接続線を引き出す接続線引出し部も覆うことを特徴とする冷蔵庫。
【０１０１】
前記無線通信手段は、前記ヒンジ部の後方に位置していることを特徴とする冷蔵庫。
前記接続線を引き出す接続線引出し部は、前記ヒンジ部と前記無線通信手段との間に位置していることを特徴とする冷蔵庫。
【０１０２】
前記接続線には、前記無線通信手段に接続する接続線と前記扉側に導出される接続線とがあり、これら接続線は、前記接続線引出し部において前記無線通信手段側と前記ヒンジ部側とに分かれていることを特徴とする冷蔵庫。
【０１０３】
前記無線通信手段における前記無線通信部は、前記筐体の上面より上方に位置していることを特徴とする冷蔵庫。
【０１０４】
前記接続線を引き出す接続線引出し部には金属部材が設けられていて、前記金属部材は、前記無線通信部を覆わないように位置していることを特徴とする冷蔵庫。
【０１０５】
前記金属部材は、前記無線通信部より下側に位置していることを特徴とする冷蔵庫。
【０１０６】
前記接続線にはヒータ用接続線が含まれていて、前記金属部材は、前記ヒータ用接続線と前記筐体内の発泡断熱材との間に位置していることを特徴とする冷蔵庫。
【０１０７】
前記無線通信手段における前記無線通信部は、前記ヒンジ部より高い位置にあることを特徴とする冷蔵庫。
【０１０８】
前記通信手段用カバーは、前記ヒンジ部より上方に突出していることを特徴とする冷蔵庫。
【０１０９】
前記通信手段用カバーには、前記無線通信手段が収納されていることを表示する表示部が設けられていることを特徴とする冷蔵庫。
【０１１０】
前記無線通信手段が有するコネクタは、前記筐体の上面より上方に位置していることを特徴とする冷蔵庫。
【０１１１】
前記無線通信手段を取り付ける場合に、当該無線通信手段が有する前記無線通信部を上向きに位置させるための取付規制手段を備えていることを特徴とする冷蔵庫。
【０１１２】
前記無線通信手段は、これの前記無線通信部が下向きに取り付けられた場合でも、当該無線通信手段が有するコネクタが、前記筐体の上面よりも上に位置することを特徴とする冷蔵庫。
【０１１３】
前記接続線のコネクタには、着脱可能なコネクタカバーが設けられることを特徴とする冷蔵庫。
【０１１４】
前記接続線にはアース線が設けられていて、このアース線を、金属製の前記ヒンジ部に接続することを特徴とする冷蔵庫。
【０１１５】
前記接続線を引き出す接続線引出し部に対して水の浸入を防止する水浸入防止手段を備えていることを特徴とする冷蔵庫。
【０１１６】
前記扉は左右二つの観音開き式の扉であり、これら左右二つの扉のうち一方の扉のヒンジ部にはヒータ接続線が通されていて、前記無線通信手段は、前記左右二つの扉のうち前記一方とは反対の他方の扉のヒンジ部の近傍に設けられていることを特徴とする冷蔵庫。
【０１１７】
前記扉は左右二つの観音開き式の扉であり、これら左右二つの扉のうち一方の扉には静電スイッチが設けられ、前記無線通信手段は、前記静電スイッチが設けられる一方の扉とは反対の他方の扉のヒンジ部の近傍に設けられていることを特徴とする冷蔵庫。
【０１１８】
前記ヒンジカバーと前記通信手段用カバーとの間には、前記ヒンジカバーに対して前記通信手段用カバーの浮き上がりを防止する浮き防止手段が設けられていることを特徴とする冷蔵庫。
【０１１９】
前記通信手段用カバーはその外側面に着脱操作用の滑り止め部を有していて、前記滑り止め部は、前記通信手段用カバーの外側面の端部まで延びていることを特徴とする冷蔵庫。
【０１２０】
前記ヒンジ部、前記接続線を引き出す接続線引出し部、および前記無線通信手段を覆うカバーを備え、このカバーは、前記ヒンジ部側から前記無線通信手段側に向かって徐々に拡大していることを特徴とする冷蔵庫。
【０１２１】
前記接続線を引き出す接続線引出し部は、前方から見て前記ヒンジ部より内側に位置していて、前記無線通信手段は、前記接続線引出し部の後方延長線上に位置していることを特徴とする冷蔵庫。
【０１２２】
前記接続線を引き出す接続線引出し部は、前方から見て前記ヒンジ部の横に位置していて、前記無線通信手段は前記扉に並行するように位置し、前記ヒンジ部、前記接続線引出し部、および前記無線通信手段を覆うカバーはＬ字状部を有し、前記筐体の天井部の後部にはコンプレッサが配置されていることを特徴とする冷蔵庫。
【０１２３】
前記無線通信手段は、前記ヒンジ部と前記接続線引出し部の後方に位置し、前方から見てそれらヒンジ部および接続線引出し部にラップしていることを特徴とする冷蔵庫。
【０１２４】
前記ヒンジ部の後方に前記接続線を引き出す接続線引出し部が配置され、その接続線引出し部を形成する部材に配線基板が収納されていることを特徴とする冷蔵庫。
【０１２５】
前記無線通信手段は、前記配線基板と同じ収納部に収納されていることを特徴とする冷蔵庫。
【０１２６】
前記無線通信手段は、前方から見て前記基板より内側に配置されていることを特徴とする冷蔵庫。
【０１２７】
前記ヒンジ部を覆うヒンジカバーを備え、このヒンジカバーは、前記接続線を引き出す接続線引出し部と、カバー取付部を有していて、前記カバー取付部には、前記接続線引出し部を覆う第１のカバーと、前記接続線引出し部および前記無線通信手段を同時に覆う第２のカバーの双方の取り付けが可能となっていることを特徴とする冷蔵庫。
【０１２８】
前記無線通信手段は、前記無線通信部と前記筐体との間の距離が、無線電波の波長の１／２の長さの倍数の寸法となる位置には配置されていないことを特徴とする冷蔵庫。
【０１２９】
前記無線通信手段は、前記無線通信部と前記筐体との間の距離が、無線電波の波長の１／２以下の寸法となる位置に配置されていることを特徴とする冷蔵庫。
【０１３０】
前記無線通信手段は、前記無線通信部と前記筐体との間の距離が、無線電波の波長のほぼ１／４の寸法となる位置に配置されていることを特徴とする冷蔵庫。
【０１３１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１３２】
図面中、１は冷蔵庫、２は筐体、３は外箱、４は断熱材（発泡断熱材）、５は冷蔵室（貯蔵室）、７Ａ，７Ｂは扉（観音開き式の扉）、８，９はヒンジユニット、１１は操作パネル、１２は静電スイッチ、１５はアルミ箔（金属部材）、１６はヒンジ部、１７はヒンジ軸、１８は接続線引出し用部材、１８ａは周囲壁（水浸入防止手段）、２２は接続線引出し部、２３は接続線、２４は制御装置、２５はＩＴアダプタ（無線通信手段）、２６はコネクタ、２７はコネクタカバー、２８ａはアース線、３０はヒンジカバー、３２は囲い部（接続線引出し部、水浸入防止手段）、３３は収納部（取付部）、３３ａは側壁（水浸入防止手段）、３４はコネクタ、３５は無線通信部、３５ａは配線基板、３６は段部（取付規制手段）、３７は係合爪（取付規制手段）、３９ｂは傾斜部（水浸入防止手段）、４０は係合孔（浮き防止手段、カバー取付部）、４１は通信手段用カバー、４４は表示部、４５は係合爪（浮き防止手段）、４６，４７，４８は凸部（浮き防止手段）、４９は凹部（浮き防止手段）、５１は滑り止め部、５２はヒンジカバー、５６はルータ、５７はインターネット、５９は携帯端末機、６１は収納部、６２は接続線引出し部、６３はカバー、６４はカバー、６５はコンプレッサ、６６はカバー、６８は取付部材（部材）、６９は収納部、７０は配線基板、７１はカバー、７３は収納部、７４はカバー、７６は引出し部用カバー（第１のカバー）、７８はアダプタ固定具、８０は通信手段用カバー（第２のカバー）、８１は収納部を示す。
【図１】
2019163929.tif 000003
【図２】
2019163929.tif 000004
【図３】
2019163929.tif 000005
【図４】
2019163929.tif 000006
【図５】
2019163929.tif 000007
【図６】
2019163929.tif 000008
【図７】
2019163929.tif 000009
【図８】
2019163929.tif 000010
【図９】
2019163929.tif 000011
【図１０】
2019163929.tif 000012
【図１１】
2019163929.tif 000013
【図１２】
2019163929.tif 000014
【図１３】
2019163929.tif 000015
【図１４】
2019163929.tif 000016
【図１５】
2019163929.tif 000017
【図１６】
2019163929.tif 000018
【図１７】
2019163929.tif 000019
【図１８】
2019163929.tif 000020
【図１９】
2019163929.tif 000021
【図２０】
2019163929.tif 000022
【図２１】
2019163929.tif 000023
【図２２】
2019163929.tif 000024